(57)【要約】【課題】地震によって家具や家電製品等の生活器材が転倒しないように、生活器材を建造物壁面に固定する為の支持部材を巾木、畳寄せ、笠木、長押、付け鴨居等の構造補助部材に収納する。【解決手段】建築構造物の骨組みに接合され、室内壁面に露出し、正面または上下面に開口部を有する構造補助部材を形成するとともに、前記内部にベルト、ロープ、ワイヤー等からなる支持部材を収納し、該構造補助部材と該支持部材に接合手段を設け、室内に配置された生活器材を固定する。【選択図】  図１
2004166753.tif 000002
【特許請求の範囲】
【請求項１】
建築構造物の骨組みに接合され、室内壁面に露出し、正面または上下面に開口部を有する構造補助部材を形成するとともに、前記内部にベルト、ロープ、ワイヤー等からなる支持部材を収納し、該構造補助部材と該支持部材に接合手段を設け、室内に配置された生活器材を固定することを特徴とする既存建造物の補強構造。
【発明の詳細な説明】
【０００１】
【発明の属する技術分野】
本発明は、地震によって家具や家電製品等の生活器材が転倒しないように、生活器材を建造物壁面に固定する為の支持部材を収納する巾木、畳寄せ、笠木、長押、付け鴨居等の構造補助部材による既存建造物の補強構造に関する。
【０００２】
【従来の技術】
地震による家具の転倒防止具としては、家具と長押を直接金具で固定したり、金具の間にベルトを渡して係合する固定具（特許出願平５−７０６９５）（特許出願平８−１０２０９０）（特許出願平８−１６５１４５）、家具と床を接合する面ファスナー、家具と天井の間を支える突っ張り具（特許出願平７−４０８０９）（特許出願平７−４２２２８）（特許出願平７−５６２２４）（特許出願平７−７７１９３）、家具の下に敷く滑り止め具（特許出願平７−１６４７６３）等が広く知られている。
【０００３】
【発明が解決しようとする課題】
しかし、家族のあり方の変容に伴って住宅の様式も様変わりし、和室であっても長押がなくなり、天井高の高い構造が増えている昨今、金具やベルトによる固定具は取り付けられない住宅も多くなっている。たとえ長押があっても団地サイズ等小さく設計された住宅では、家具の高さと長押の位置が合わず、また、整理箪笥やサイドボードでは長押や天井までに距離があり、独特の形状を持つ勉強机、ピアノ、鏡台、スタンド、様々な形状が見られるようになったテレビ等の家具に至っては、もとより家具転倒防止具の対象外となる。
【０００４】
また、金具による固定では、家具と長押の双方に釘やねじ等を打ち付けることになり、家財に傷をつけてその価値を低下させるだけでなく、家具の移動に伴って金具を取り外せば傷が丸見えになってしまう。場合によっては、釘が錆びたりねじ山が潰れたりして、家具を移動させたくても、動かしようがなくなってしまうことさえある。家族のライフ・ステージに合わせて時には必要になって来る家具の配置替えや模様替えも、固定式の金具にあっては不向きである。
【０００５】
その点、突っ張り具は家財を傷めることはないが、天井高の高い構造が増えるに従って、家具と天井とを支える突っ張り具も長くならざるを得ず、その効力は低下して来ている。元々、この突っ張り具は、天井内を構成する桟等の天井下地の直下に当てがって天井を下から持ち上げるようにして支えることによって初めて効力が発揮されるものであるが、一般人にはこの所在を正確に探し当てることは難しく、折角突っ張り具を当てがっても天井板にただくっつけているだけで支えになっていない等ということにもなりかねない。何より突っ張り具の場合には補強部が丸見えであり、家内の装飾性を著しく低下させるが、安全性の為と断念しているのが現状である。面ファスナー、滑り止め具においてもまた、視覚的には邪魔にならないものの、強震に対する信頼性は高くない。
【０００６】
地震動によって食器棚等の扉が開き、或いはガラスを破って収納物が飛散すれば、それら生活器材が倒れるまでもなく、地震発生後に真っ先に行わなければならない消火作業や避難の妨げになる等、人命に関わる問題である。その他にも家内には長押に丈が届かなかったが為に家具転倒防止具の対象外だった物、独特の形状を持つ物等の様々な生活器材があり、中には割れれば危険な物もある。大地震においては引き出しが飛び出すだけでなく、生活器材そのものが跳躍するという、想像を絶する現象が起きる。テレビが目の前を飛んでいったという震災体験者の話も寄せられている。小さな陶器でさえ充分凶器になるのである。実際、実に多くの人々が地震による出火や逃げ遅れの犠牲者となり、阪神淡路大震災における家屋や家具等による圧死者数は全体の８９％にも上るという。この地震による生活器材の跳躍を防止するには、免震構造の住宅を新築するか、免震レトロフィットをするか、或いは、全ての家具を造り付けにすれば効果があろうが、家を建てるのは一生の仕事とも言われ、一度建築したら何十年も住むことになる住宅では、誰もがそれを簡単に実現できる訳ではない。家具の持つ独特の高級感や個性もまた、画一的な造り付けの家具ではなかなか醸し出すことができない。世界全体の１／８程の地震が日本列島周辺域に発生し、世界各国の平均の１７０倍もの地震発生国である日本において、東海沖地震や富士山噴火も懸念される中、可能な限り耐震時間を延ばし、人命を守らんことは急務である。本発明は、あらゆる家具、あらゆる建築構造に対して、誰もが簡単に行える耐震補強を可能にすることで、それまで家具転倒防止具を別途購入し、取り付けるというように個人の裁量に委ねられていた家内の防震対策を、以後は予め住宅そのものに常設させ、以て建造物の耐震性を向上させようとするものである。
【０００７】
【課題を解決するための手段】
本発明は、建築構造物の骨組みに接合され、室内壁面に露出し、正面または上下面に開口部を有する構造補助部材を形成するとともに、前記内部にベルト、ロープ、ワイヤー等からなる支持部材を収納し、該構造補助部材と該支持部材に接合手段を設け、室内に配置された生活器材を固定することを特徴とする既存建造物の補強構造である。
【０００８】
【発明の実施の形態】
既存建造物の補強構造について、木造、鉄筋コンクリート造、鉄骨造等に用いる代表的な構造補助部材を例に、先ずは巾木の取り付け方から、図面に従って以下に記述する。
【０００９】
図４ａは、出巾木１の従来の代表的な納め方を示す図である。壁面よりも突き出ている物は出巾木１、壁面よりも引っ込んでいる物は入り巾木、壁面と面を揃える物は面一巾木等と名付けられており、巾木の形状によって、また、巾木は壁面と床面との両面に接することから、住宅構造ごとの壁下地や床下地の工法によっても、その部材や納め方は異なって来る。一般家屋において最も多く見られるのが出巾木１で、床仕上げ材の小穴决り１５と出巾木１下部の実决り１６を合わせ、裏面に斜めの欠け１７のある出巾木１では柱１０や間柱との間に転び止め桟１９をあてがい、楔２０を挟んで、隠し釘を斜めに打って建築構造物の骨組みに固定するとともに、出巾木１上部の小穴决り１５に石膏ボード１２、羽目板１３、合板等の壁仕上げ材を嵌め込み、壁下地材との接合面を接着したり、壁仕上げ材の上から壁下地材の胴縁や木摺、木枠等建築構造物の骨組みに釘打ち、ビス止めをする等によって壁面を納める。裏面に欠け１７のない出巾木１では、出巾木１上部の小穴决り１５から隠し釘を打って床に固定するとともに、小穴决り１５に壁仕上げ材を嵌め込み、以下前述のように壁面を納めるのが一般的である。
【００１０】
図４ｂ及び図４ｃは、収納巾木１ａの納め方の一例を示す図である。巾木の種類によらず、木、金属、樹脂等各種部材によって正面、または上面に開閉自在の開口部を持つ箱型に形成し、支持部材３３を収納する巾木１ａの底面部を、住宅構造ごとの建築工法に準じて、フローリング１４等の床仕上げ材に、各種仕口や継手によって接合するとともに、収納巾木１ａの背面部を柱１０、間柱、胴縁等建築構造物の骨組みに各種仕口や継手によって接合し、場合によっては横胴縁１１等を受け材として、収納巾木１ａの背面を上面から支え、収納巾木１ａの内部から壁下地材や床下地材に向かって釘打ち、ビス止め、或いは裏面を接着する等の手段をもって収納巾木１ａを納め、収納巾木１ａの小穴决り１５に石膏ボード１２、羽目板１３、合板等の壁仕上げ材を嵌め込み、壁面を納めていく。この時必要があれば、収納巾木１ａの背面部を、短手方向等に延出させて形成し、壁下地において横胴縁１１と平行に渡し、横胴縁１１等を受け材として、収納巾木１ａの背面を上面から支え、以下前述同様に納めることも可能である。
【００１１】
また、これら支持部材３３を収納する構造補助部材は、建築構造によって、モルタル、コンクリート等建築構造物に、接着、釘打ち、ビス止め、かすがい、アンカーボルト、フック金物等補強金物、補強栓類等による緊結固定等をすることも可能である。
【００１２】
また、これら支持部材３３を収納する構造補助部材をリフォームによって設置しようとする場合であって、壁９の解体等大掛かりな作業を望まなければ、壁仕上げ材や床仕上げ材の上から固定することも可能である。
【００１３】
本構造補助部材は、中にベルト３３ａ、ロープ、ワイヤー等からなる支持部材３３と連結具８等からなる固定装置を装備させる都合上、従来の構造補助部材より見込みを厚く形成することが望ましいが、住宅の構造上見込みを厚くとれない場合は、構造補助部材に支持部材３３を係合する係止軸５や、場合によってはフックやナスカン、リング等の連結具８のみを造り付け、支持部材３３は別途引き渡し、支持部材３３の収納部であるレール溝前部間隙６ａや係止軸前部間隙等を設けないことで、見込みを薄くしたり、或いは蓋７ａや引き戸７ｂを設けずに係合部を剥き出しのまま構造補助部材を形成することも可能である。支持部材３３を収納する為に開口部を覆うならば、敷居が形成されて納まりが良い引き戸７ｂに比べて、正面や下面に蓋７ａを形成する場合は納まりが悪い為、嵌め込みの凹凸部を設けたり、ばね蝶番を設ける等、公知の手段をもって当たるものとする。
【００１４】
本発明は、住宅構造ごとの建築工法に準じ、その工法を限定するものではないが、箱型に形成し、内部に空洞部を持つ構造補助部材は、溝の突き方が限定されることがある為、各種仕口や継手等によってしっかりと接合するとともに、打ち込んだ釘やビスが外部に飛び出ることのないように内部から壁下地材や床下地材に向かって釘打ちをする等、防震対策を施すことを前提に剛性を上げる建築方法であることが望ましい。構造補助部材を構成する板もまた、溝を突いても壁仕上げ材を支えられるように、充分な厚みをもって当たることが望ましい。
【００１５】
基本的に洋室の構造補助部材である巾木は、日本家屋において板の間に納められることはあっても、畳の間である和室には使用されることがない為、家具の下部周囲を固定する支持部材３３を収納する場所として畳寄せを代替させることも可能である。畳寄せは真壁造りにおいて畳と壁９の隙間を埋める役割を果たしている。荒床との間に飼木をあてがって釘彫り釘打ち、ビス止め等で固定するのが一般的であるが、支持部材３３を収納する畳寄せにおいては、充分な板厚を持たせて、できるだけ目違いを入れるようにし、打ち込んだ釘が外部に飛び出ることのないように内部から床下地材に向かって釘打ちをする等、防震対策を施すことを前提に剛性を上げる建築方法であることが望ましい。
【００１６】
畳寄せは真壁造りにおける構造補助部材の為、大壁造り等の和室に、防震対策上あえて収納巾木１ａを設けるならば、蓋７ａに竹材を用いたり、蓋７ａの上から壁紙や襖紙と同じ絵柄の和紙を貼ったり、畳縁と同じ柄の布地を貼ったり、開口部を引き戸７ｂに形成する等、和室に相応しい建築資材を使用して、和風のデザインを施すことによって新しい意匠ともなり得る。
【００１７】
図５ａは、笠木２の従来の代表的な納め方を示す図である。同じ壁９でも上部と下部で仕様が異なる場合、その境に見切り材として笠木２を納めるのが一般的である。元々笠木２のない一枚壁に耐震対策上収納笠木２ａを設ける場合には、壁仕上げ材の上に固定して構造補助部材として納めることも可能である。
【００１８】
図５ｂは、収納笠木２ａの納め方の一例を示す図である。木、金属、樹脂等各種部材によって正面に開閉自在の開口部を持つ箱型に形成し、支持部材３３を収納する収納笠木２ａの底面部の小穴决り１５と下壁とを合わせるとともに、住宅構造ごとの建築工法に準じて、柱１０、間柱、胴縁等建築構造物の骨組みに各種仕口や継手によって接合し、横胴縁１１等を受け材として、収納笠木２ａの背面を上下面から挟み込むようにして支え、収納笠木２ａの内部から壁下地材に向かって釘打ち、ビス止め、或いは裏面を接着する等の手段をもって収納笠木２ａを納め、収納笠木２ａの上面の小穴决り１５に石膏ボード１２、羽目板１３、合板等の壁仕上げ材を嵌め込み、上壁を納めていく。この時必要があれば、収納笠木２ａの背面部を、短手方向等に延出させて形成し、壁下地において横胴縁１１と平行に渡し、横胴縁１１等を受け材として、収納笠木２ａの背面を上下面から挟み込むようにして支え、以下前述同様に納めることも可能である。
【００１９】
図６ａは、長押３の代表的な納め方を示す図である。長押３は設置する位置によって各々天井長押、蟻壁長押、腰長押、地覆長押等と名付けられているが、一般家屋において最もよく見られるのは鴨居と平行してその直上に設置する内法長押である。柱１０との仕口は、襟輪欠きや長押欠取りとし、鴨居や付け鴨居４を取り付けた後、釘彫り釘打ち、ビス止め等で固定するのが一般的な長押３の納め方である。
【００２０】
図６ｂは、収納長押３ｄの納め方の一例を示す図である。支持部材３３を収納する長押３ｄは、中に支持部材３３と連結具８等からなる固定装置を装備させる都合上、内部容積を確保する為に、裏面に斜めの欠け１７を持つ長押挽き３ｂとせず、木、金属、樹脂等各種部材によって正面、または上下面に開閉自在の開口部を持つ箱型に形成することが望ましい。収納長押３ｄの背面部を、住宅構造ごとの建築工法に準じて、柱１０、間柱、胴縁等建築構造物の骨組みに、襟輪欠きや長押欠取り等各種仕口や継手によって接合し、場合によっては横胴縁１１等を受け材として、収納長押３ｄの背面を上下面から挟み込むようにして支え、収納長押３ｄの内部から壁下地材に向かって釘打ち、ビス止め、或いは裏面を接着する等の手段をもって収納長押３ｄを納め、収納長押３ｄの上面に小穴决り１５を設け、石膏ボード１２、羽目板１３、合板等の壁仕上げ材を嵌め込み、壁面を納めていく。この時必要があれば、収納長押３ｄの背面部を、短手方向等に延出させて形成し、壁下地において横胴縁１１と平行に渡し、横胴縁１１等を受け材として、収納長押３ｄの背面を上下面から挟み込むようにして支え、以下前述同様に納めることも可能である。
【００２１】
また、住宅構造ごとの建築工法に準じて、支持部材３３を収納する付け鴨居を形成することも可能である。
【００２２】
支持部材収納型の巾木１ａ、畳寄せ、笠木２ａ、長押３ｄ、付け鴨居等の構造補助部材と支持部材３３とを係合する方法について、以下に記述する。木、金属、樹脂等各種部材によって正面、または上下面に開閉自在の開口部を持つ箱型に形成し、内部空洞に、一定間隔ごとに係止軸５を造り付け、ベルト３３ａ、ロープ、ワイヤー等からなる支持部材３３の基端部及び末端部には連結具８を設ける。各々の連結具８を、生活器材背部の両端の位置に当たる係止軸５に係合し、引張力を適宜バックル３３ｂやベルト送りで調節しながら生活器材の周囲に支持部材３３を回し、生活器材前部等でバックル３３ｂの両端を会合させて係合する。
【００２３】
もしくは、内部空洞に、カーテンレール状の開口部であるレール溝６を形成し、可動式の係止軸５とする。図３ａに示すように、レールの内側側面に凹型の接合部を設け、両端に側面凸型の接合部を持つ突起型係止軸５ａに、支持部材３３の挿通孔３３ｃを挿通して、引張力によって凹凸を接合させるか、図３ｂに示すように、レールの内側上下面に更に溝を突いたり、一定間隔毎に穴を彫ったりして、両端に上下面凸型の接合部を持つばね型係止軸５ｂに、支持部材３３の挿通孔３３ｃを挿通して、出し入れ自在のばねの復元力によって凸部を突出させて溝や穴と接合する。或いは、図３ｃに示すように、レールの内側側面を波板やジグザク板等に形成し、波板等を軸受けとする同径の波板用係止軸５ｃや、ジグザク板を軸受けとする角型の係止軸に、支持部材３３の挿通孔３３ｃを挿通して、引張力によって波板等の半円と波板用係止軸５ｃの半円、ジグザク板の角と係止軸の角を接合する等の手段によって固定する等、公知の手段をもって水平移動を可能にし、支持部材３３の基端部及び末端部に挿通した係止軸５を各々を生活器材背部の両端等必要な位置まで移動させて、引張力を適宜バックル３３ｂやベルト送りで調節しながら、生活器材の周囲に支持部材３３を回し、生活器材前部等でバックル３３ｂの両端を会合させて係合する。係止軸５に挿通した支持部材３３は、係止軸５を横向きにすればレール溝６の開口部を通して脱着自在であるが、縦向きにして家具周囲に取り付けた時には引張力が働くことによって外れることはない。その為、支持部材３３は引張力によって最短の長さをもって家具周囲に回されることになるので、係止軸５とレール溝６とを嵌め込む為の凹凸の接合部は、必ずしも設ける必要はない。
【００２４】
また、係止軸５同士の間隔、或いは、レール溝後部間隙６ｂや係止軸後部間隙に、バックル３３ｂ等が引っかからないスペースを確保できるなら、構造補助部材内部に造り付けた係止軸５の後部にベルト３３ａを家具巾分回し込んで固定することも可能であり、この場合は、構造補助部材及び支持部材３３に連結具８や挿通孔３３ｃを付けずに一本の支持部材３３にバックル３３ｂ、必要があればベルト通しやベルト送り等設けておけば家具を固定することが可能になる。
【００２５】
場合によっては、木、金属、樹脂、ゴム、エラストマー等各種部材によるスナップフック、スプリングフック、チェーンフック、スイベルフック等開閉自在の係止具を持つフックやナスカン、リングやリングキャッチ等の連結具８の一部分に回転軸を設けたり、折り畳み式やねじ締まり錠型にする等出し入れ自在に形成して、構造補助部材の開口部を通じて連結具８を突出できるように、係止軸５同様、一定間隔ごとに構造補助部材に埋め込んで造り付けることも可能である。
【００２６】
もしくは、内部空洞に、カーテンレール状の開口部であるレール溝６を形成し、可動式の連結具８とする。連結具８の末端をレールランナー型に形成したり、ローラーや小型のアジャスター等を取り付けて、レール溝後部間隙６ｂに残して水平移動を可能にするとともに、連結具８の一部分に回転軸を設けたり、折り畳み式やねじ締まり錠型にする等出し入れ自在に形成して、構造補助部材の開口部を通じて連結具８を突出させ、レール後部の可動部と前部の突出部でレールを挟み止めたり、ストッパー等を設けて固定し、支持部材３３の基端部及び末端部に設けてある連結具８と係合する。但し、支持部材３３は引張力によって最短の長さをもって家具周囲に回されることになるので、ストッパー等は必ずしも必要としない。
【００２７】
もしくは図３ｄに示すように、連結具８の一方をフランジやスパンク等頭部を円形のナット型に形成して、レール溝後部間隙６ｂに残して水平移動を可能にし、他方をボルト型に形成して支持部材３３の連結具８とし、両者を螺合する等組み立て式にするか、またはその逆の組み立て式にし、必要があれば座金等を設けて、構造補助部材の開口部を通じて連結具８を突出させるとともにナットとボルト間でレールを挟んで固定する。ナット頭部は円形でなくても移動は可能であるが、円形にすることで連結具８を３６０°回転させることが可能になり、動きの巾が広がり、作業がより一層しやすくなる。回転の必要がない固定具の場合は移動するだけでよく、この限りではない。
【００２８】
構造補助部材の正面または上下面等に蓋７ａをはめたり引き戸７ｂにする等公知の手段をもって開閉自在に形成し、開口部から必要に応じて支持部材３３を取り出し、固定装置とする。収納巾木１ａや畳寄せから引き出した支持部材３３は生活器材の下部周囲、収納長押３ｄや収納付け鴨居から引き出した支持部材３３は生活器材の上部周囲、生活器材の中程に支持部材３３を取り付けられる部位があれば収納笠木２ａからというように、各々生活器材背部の両端で、構造補助部材と係止した支持部材３３を生活器材の周囲に回し、生活器材の前部で会合させて、必要があればベルト送り等の伸縮調節器で適宜長さを調節するとともに、各種折り返し式、嵌め込み式バックル等で適宜引張強度を調整しながら固定する。支持部材３３を使用する必要がない場合には、構造補助部材内のレール溝前部間隙６ａや係止軸前部間隙がその収納場所となる。
【００２９】
支持部材３３の構成は、１．オーバーセンターバックル、カムバックル、ラチェットバックル、ワンタッチバックル等の各種折り返し式、嵌め込み式バックルや、後述するクリップ型の固定具、２．木、金属、樹脂、ゴム、エラストマー等各種部材によるスナップフック、スプリングフック、チェーンフック、スイベルフック等開閉自在の係止具を持つフックやナスカン、リングやリングキャッチ等の連結具８、３．必要があればベルト通し及びベルト送り等の伸縮調節器、４．ナイロン、合成繊維等繊維、樹脂、金属、場合によってはゴム、エラストマー等の免震素材等、各種部材によるベルト３３ａ、ロープ、ワイヤー等である。支持部材３３は一本からなり両端をバックル３３ｂで係合する物、及び、各々係止軸５や連結具８等によって構造補助部材に係止する二本を家具の前部で会合させてバックル３３ｂで係合する物等があり、使い方によっては二本以上の複数本を組み合わせることも可能である。
【００３０】
図１、図２ａ及び図２ｂは支持部材３３によって洋服箪笥の下部周囲を固定する場合を示す図である。支持部材３３を生活器材の下部に取り付けることによって、整理箪笥３４ｆやサイドボードのような低い家具でも固定でき、また、丈があっても天板の周囲に支持部材３３を回すと扉の開閉に差し障りがあるような家具でも固定することが可能になるが、支持部材３３を収納できる構造補助部材が収納巾木１ａしかない場合、ハンガー掛けのポールが上部に設置され、下部よりも上部に重心が来る洋服箪笥等においては、下部のみの固定では耐震性に不安が残る。同様に、支持部材３３を収納できる構造補助部材が収納長押３ｄしかない場合、家具の丈が合わないが為に係止できないのでは耐震の役に立たない。そこで支持部材３３を使用して、どんな生活器材にも係止できるとともに、家具や家屋に傷を付けずに固定する方法を以下に示す。
【００３１】
図１はまた、洋服箪笥等家具の蝶番３４ｂを利用する支持部材３３の固定方法を示す図でもある。洋服箪笥の扉を開け、収納巾木１ａから引いた支持部材３３を、箪笥本体と扉の間隙に通して、本体と扉の間を接合している蝶番３４ｂの内側に沿わせ、また本体と扉の間隙を通して、収納巾木１ａへ戻して固定する。即ち、蝶番３４ｂ経由で家具そのものに支持部材３３を挟み込ませるのである。また、支持部材３３の先端にボタン穴状の切り込みを形成したり、場合によっては本体と扉の間隙の巾に合わせてＤ環等を設けておき、これらに家具の内側に回し込んだ支持部材３３を挿通して、蝶番３４ｂの軸側で締め、収納巾木１ａに係止すれば、支持部材３３も短くて済み、経済的である。元々、引っ張り強度に優れている支持部材３３は、薄くも細くも形成することができ、蝶番３４ｂに挟ませても支障なく扉は閉る。また、箪笥本体と扉とのジョイントである蝶番３４ｂは、家具の大きさに合わせて複数箇所に取り付けられており、前述のような下部の固定のみでは心許ない場合、収納巾木１ａから引いた支持部材３３は家具上部の蝶番３４ｂを、家具の丈が合わない場合、収納長押３ｄから引いた支持部材３３は適宜蝶番３４ｂを経由させることで安定的に設置することができる。蝶番３４ｂは１箇所だけを経由することも、数箇所にまたいで経由することもでき、最上部と最下部の蝶番３４ｂを使用する場合等バックル３３ｂや連結具８の厚みは度外視しても良いこともあるが、中程の蝶番３４ｂを使用する場合には間隙にバックル３３ｂや連結具８が通らない為、支持部材３３の片側に係合部を持つ折り返し式のバックル３３ｂを使用して、間隙にベルト３３ａを潜らせながらバックル止めしたり、一本からなる支持部材３３の少なくとも片端を挿通孔３３ｃにしておく等で、間隙を通すことが可能となる。このように支持部材３３によってたすきをかける要領で生活器材を固定をすれば、家屋だけでなく、家具にも傷をつけずに固定することが可能となる。
【００３２】
上述のように、薄く形成できる支持部材３３は、蝶番３４ｂに挟み込むだけでなく、洋服箪笥の本体と扉との間に挟み込んでも扉は閉まる為、収納巾木１ａや収納長押３ｄから引いた支持部材３３を家具の背部から頭部へ回してフック等の連結具８で家具内のポールに係止することも可能となる他、支持部材３３の片端にボタン穴状の切り込みを形成したり、場合によってはＤ環等を設けておき、ポールに回し込んだ支持部材３３を挿通して、片端をポールに係止しておく一方、収納巾木１ａから引いた別の支持部材３３とを家具上で会合させて、バックル３３ｂや連結具８等で係止することも可能となる。
【００３３】
その他、クリップ型の固定具の内側にベルト３３ａ等を沿わせながら家具等を構成する板材３４ａを直接挟み込むことで、家具を固定することが可能となる。主に紙挟み等の文具として用いられているダブルクリップは、板ばねにレバーの軸を装着する管状の軸受けを形成することで板ばねとレバーとを合体させ、板ばねに続く支持板の剛性に支えられて、安定して開口させることが可能になる。板ばね、レバー、軸受け等、これらの構成がダブルクリップをダブルクリップたらしめているが、挟む物の厚みが支持板の巾よりも薄い場合、開口部の開きが小さくなる為、巾を調節でききない従来型のダブルクリップにおいては、開口部から支持板にかけてのラインが斜めになって、支持板側の余剰部分が角となって突き出し、書類を挟んだ時にこの部分が余分な厚みを形成してしまう。挟む物の厚みに合わせて支持板の巾を自在に調節できるようにすることで余剰部分をなくし、耐震装置として使用することも可能となる。
【００３４】
レバーの軸をダブルクリップ本体に装着する為の筒状の軸受けもまた、余分な厚みとなる為、整理箪笥３４ｆ等に使用しようとしても、この部分が引っかかって、引き出し３４ｃが閉まらなくなり、また、強引に閉めれば、家具を傷つけてしまうことになる。軸受けをなくし、かつ、レバーの開口に支障なくレバーを装着できるようにすることで、耐震装置として使用することが可能となる。
【００３５】
問題解決に当たって、金属、樹脂等各種部材による板ばねを鋭角に屈曲させ、片辺を平板ばねに、片辺を係合手段を有する板ばねからなる凸型と凹型の二個の屈曲体を噛み合わせ、屈曲体の表側にレバー３２の取り付けを可能にする。
【００３６】
図７ａ〜図７ｅをもとに、以下に発明の実施の形態について記述する。板ばねからなり、係合手段を有する二個の屈曲体を組み合わせるジグザグ板ばね型クリップ２１の一方をジグザグ板ばね型クリップ凸型部２１ａ、もう一方をジグザグ板ばね型クリップ凹型部２１ｂとして、また、クリップの形状を問わず凸型部全体を指す時は凸型部、凹型部全体を指す時は凹型部、凸型部及び凹型部全体を指す時は屈曲体、屈曲形成した板ばねを指す時は屈曲板として、先ずジグザグ板ばね型クリップ凸型部２１ａから記述する。スチール、ステンレス等からなる金属板を初め樹脂板等の各種部材からなる板ばねを５０〜７０度程度の鋭角に屈曲させて、片辺を平板ばね２４に、片辺を鋭角の歯頭２１ｆが屈曲板の角２６に向かって傾斜する凸型部ジグザグ板ばね２１ｃを設ける凸型部１ａを、鋳造、鍛造、圧造、転造、金型形成、射出形成、研磨加工、切削加工、ベンダー形成等の各種手段をもって形成加工する。歯２１ｅの高さは２〜４ｍｍ程度、歯頭２１ｆの角度は２０〜４０度程度、歯２１ｅの傾斜角度は外角で１００〜１４０度程度、板厚はクリップの大きさによって異なり、金属板の場合０．１〜１．０ｍｍ程度が望ましいが、原理が成立するならば、部材、形態、寸法等は何ら限定するものではない。
【００３７】
次に、同種の板ばねを凸型部２１ａと対称的に屈曲させて、片辺を平板ばね２４に、片辺を支持板２５とするとともに、支持板２５の上部に平行して、鋭角の歯頭２１ｆがエッジ２７に向かって傾斜する凹型部ジグザグ板ばね２１ｄを設けるジグザグ板ばね型クリップ凹型部２１ｂを、鋳造、鍛造、圧造、転造、金型形成、射出形成、研磨加工、切削加工、ベンダー形成等の各種手段をもって形成加工する。もしくは、凸型部２１ａにも支持板２５を設けて凹型部同士からなる二個の屈曲体として組み合わせても良い。
【００３８】
凹型部２１ｂの形成方法については、以下にその代表的な形成方法の例を更に詳述する。板ばねの一枚を凸型部２１ａと対称的に屈曲させて、片辺を平板ばね２４に、片辺を支持板２５とする表側屈曲板２１ｉとし、別の一枚を表側屈曲板２１ｉと同角に屈曲させるとともに、片辺を平板ばね２４に、片辺を鋭角の歯頭２１ｆがエッジ２７に向かって傾斜するジグザグ板ばね２１ｄとする中側屈曲板２１ｊとし、凸型部ジグザグ板ばね２１ｃを噛み込ませ得るように、表側屈曲板２１ｉの支持板２５と中側屈曲板２１ｊのジグザグ板ばね２１ｄの間を板厚分程度開口させて、表側屈曲板２１ｉと中側屈曲板２１ｊの平板ばね２４同士を接着、溶接等の融着、かしめ等の圧着等の手段をもって接合し、必要があれば一重の平板ばね２４部分に受け板を接合したり、或いは二重の平板ばね２４部分を圧延して厚みを揃えて凹型部２１ｂを形成する。
【００３９】
或いは、板ばねの一枚を凸型部２１ａと対称的に屈曲させて、片辺を平板ばね２４に、片辺をジグザグ板ばね２１ｄとする上側屈曲板とし、別の一枚の片辺をジグザグ板ばね２１ｄに、片辺を支持板２５とする下側屈曲板とし、両者のジグザグ板ばね２１ｄ同士を接着、溶接等の融着、かしめ等の圧着等の手段をもって接合する。
【００４０】
もしくは、板ばねをＷ字様に屈曲させるとともに、Ｗ中央の山の内側を接合することによって凹型部２１ｂに形成する。平板ばね２４と支持板２５に挟まれたジクザグ板ばねの中央を山頂として折り返し、歯型を重ね合わせて山の内側を接着、溶接等の融着、かしめ等の圧着等の手段をもって接合してジグザグ板ばね２１ｄを形成し、支持板２５側に凸型部ジグザグ板ばね２１ｃを噛み込ませ得る為の開口部を形成しながら、ジグザグ板ばね２１ｄとの境を屈曲させて凹型部２１ｂに形成する他、鋳造等、鍛造、圧造、転造、金型形成、射出形成、研磨加工、切削加工、ベンダー形成等の各種手段をもって凹型部２１ｂを形成加工する。凹型形成については、屈曲板の角２６部側には、板厚分程度の隙間を形成するが、表側屈曲板２１ｉの支持板２５と中側屈曲板２１ｊのジグザグ板ばね２１ｄの間口が閉じるように、表側屈曲板２１ｉの屈曲角度をやや狭めておくか、中側屈曲板２１ｊの屈曲角度をやや広げておくと、凹凸両者を噛み込ませた時に外れにくくなる。
【００４１】
クリップ本体は、板ばねからなり、係合手段を有する二個の屈曲体を組み合わせることによって成立する。ジグザグ板ばね型クリップ２１の場合は、凸型部ジグザグ板ばね２１ｃと凹型部ジグザグ板ばね２１ｄを噛み合わせて、二個の屈曲体を合体させる。一つの歯２１ｅを三角形と見る時、歯頭２１ｆが頂角となり、凸型部ジグザグ板ばね２１ｃにおいては、噛み合わせの進行方向に鋭角の底角２１ｇが来る向きになって、あたかもなびくがごとく歯頭２１ｆが後方に向かうように配される。凹型部ジグザグ板ばね２１ｄにおいては、噛み合わせの進行方向に鈍角の底角２１ｈが来る向きになって、開口部をつくるように歯頭２１ｆが前方に向かうように配されることで、向かい合わせた時に、歯型を合わせて、両者を噛み込ませることが可能となる。凸型部２１ａの第一歯の鋭角部は、凹型部２１ｂの鈍角部から入って凹型部２１ｂの鋭角部を目指して進んでいく。凹型部２１ｂに挿入すると、凸型部２１ａは凹型部２１ｂのジグザグ板ばね２１ｄが天井となって押さえられるとともに、後方から押し入れようとする力によって弾性変形し、開口しているジグザグ板ばね２１ｃの底辺が閉じるように働き、歯頭２１ｆを低くしながら、凹型部２１ｂの奥へ入っていくが、凸型部２１ａの最大高である歯頭２１ｆが入りきった所で、天井からの力から解放されて、形状を復元させ、凹型部２１ｂに納まる。これを繰り返すことによって、凹凸両者が歯２１ｅを噛み合わせながら一段一段奥へ挿入されていくが、一旦歯２１ｅが納まってしまうと、引き戻す時には凸型部２１ａの進行方向に鈍角の底角２１ｈが、凹型部２１ｂの進行方向に鋭角の底角２１ｇが来る向きになっている為間口が狭く、歯２１ｅの最大高が引っかかって出て来ることができない。前には進むことができても、後ろには戻ることができない構造にすることによって、支持板２５の巾を挟む物の厚みに合わせて調節することが可能となる。こうして凹型部２１ｂに対する凸型部２１ａの納まりが浅ければ厚い物を、深ければ薄い物を固定することができるようになる。クリップの凸型部２１ａと凹型部２１ｂの噛み合わせによって調節され得る支持板２５の巾は、凸型部２１ａが凹型部２１ｂに全面的に挿入された時に実現される支持板巾×１倍から、凸型部２１ａと凹型部２１ｂを最大限に広げた時に実現される支持板巾×２倍からクリップが安定して固定される為に必要な最低限の噛み合わせの歯数の長さを差し引いた範囲となる。
【００４２】
係合型クリップにおいては、支持板２５の巾が最小厚の時には閉じているクリップ開口部が、厚みのある物を挟もうとして支持板２５の巾を広げるにつれて、初めから開口部が口開きしている状態になり、これによってばね強度が低下することが懸念される場合には、クリップの噛み合わせや作業に支障がない程度に、屈曲板の角度をより鋭角に形成したり、板厚に厚みを持たせたりすることで、板ばねのばね強度を強化することが可能である。
【００４３】
前には進むことができても、後ろには戻ることができないジグザグ板ばね型クリップ２１を外すには、軸受け３２ｃにレバー３２のフック部３２ａを戻し入れ、レバー３２を梃子にしてクリップを外した後、凸型部２１ａと凹型部２１ｂを噛み合わせ方向と垂直に、各々反対方向にスライドさせれば、二個体に分解できる。
【００４４】
スライドさせることによって外れるジグザグ板ばね型クリップ２１は、一旦噛み込ませてしまえば、挟んだ物自体が横ズレする性質を有していない限り、バネ力が利いる為、クリップ自体の横ズレには限度があり、外れてしまうようなことはないが、強震等による固定時の横滑りが懸念されるならば、噛み合わせる二個の屈曲体を両者とも凹型に形成し、支持板２５に続けて屈曲板の傾斜角度に合うように台形の翼を設け、表側屈曲板２１ｉと中側屈曲板２１ｊとがつくる咬合部側面を塞いでも良い。向かい合わせた時に同じ側を塞ぐと噛み合わなくなるので、反対側になるように各々支持板２５の片側だけに翼を設け、支持板２５がジグザグ板ばねの外側に来る物では、翼を内側に折り、支持板２５がジグザグ板ばねの内側に来る物では、翼を外側へ折って塞ぐ。二個の屈曲体は各々反対方向にスライドさせることによって外れるが、右方向からの入力に対しては両者とも右方向へずれ、左方向からの入力に対しては両者ともに左方向にずれる為、形成された翼が衝立となって、外れにくくなる。また、取り外す際に支障のない範囲で、ジグザグ板ばねの接触面に摩擦が生じるように微細な凹凸を施したり、四隅等要所要所で小さな椀型等の嵌め込みを形成したり、或いは、接触面に滑り止め剤を塗布する等も可能である。また、後述するＵ字型等のピンで噛み合ったジクザグ板ばね同士を止めたり、ファスナーテープ等による支持部材固定具３３ｄを使用することによって、横滑りを防止することも可能となる。
【００４５】
図９ａ〜図９ｄをもとに、以下に発明の実施の形態について記述する。板ばねからなり、係合手段を有する二個の屈曲体を組み合わせる側面係合型クリップ２２の一方を側面係合型クリップ凸型部２２ａ、もう一方を側面係合型クリップ凹型部２２ｂとして、先ず側面係合型クリップ凸型部２２ａから記述する。図９ａ及び図９ｃに示すように、スチール、ステンレス等からなる金属板を初め樹脂板等の各種部材からなる板ばねを５０〜７０度程度の鋭角に屈曲させて、片辺を平板ばね２４に、片辺を支持板２５とするとともに、支持板２５の右辺突端に突起３０を、屈曲部の両角２６に三角形等の切り欠き２９を形成し、エッジ１／２辺りから、左角にかけてを斜辺とする屈曲板と、支持板２５の左辺突端に突起３０を、屈曲部の両角２６に三角形等の切り欠き２９を形成し、エッジ１／２辺りから、右角にかけてを斜辺とする屈曲板とを、各々の斜辺が交差するように重ね合わせ、平板ばね２４同士のみを接着、溶接等の融着、かしめ等の圧着等の手段をもって接合するか、或いは、これら二枚の板ばねを支持板２５、平板ばね２４、平板ばね２４、支持板２５の順に一枚続きに形成した後、斜辺が交差するように屈曲するとともに平板ばね２４同士のみを接着、溶接等の融着、かしめ等の圧着等の手段をもって接合するか、図９ｂに示すように、片辺を平板ばね２４に、片辺を支持板２５とするとともに、支持板２５をコの字型等に形成し、コの字両側の突出部突端に突起３０を形成する凸型部２２ａを、鋳造、鍛造、圧造、転造、金型形成、射出形成、研磨加工、切削加工、ベンダー形成等の各種手段をもって形成加工する。
【００４６】
次に、図９ａ、図９ｂ、図９ｄに示すように、同種の板ばねを凸型部２２ａと対称的に屈曲させて、片辺を平板ばね２４に、片辺を支持板２５とするとともに、支持板２５の両側に、一定間隔ごとに穴３１を空け、屈曲板の傾斜角度に合わせて角２６側及びエッジ２７側に三角形等の切り欠き２９を持つ台形の折り代２８を設け、折り代２８に続けて接合する為の支持板２５、即ち接合板２５ａを設け、接合板２５ａ同士を接着、溶接等の融着、かしめ等の圧着等の手段をもって接合して、板厚分程度の開口部を持つ外箱型に形成する側面係合型クリップ凹型部２２ｂを、鋳造、鍛造、圧造、転造、金型形成、射出形成、研磨加工、切削加工、ベンダー形成等の各種手段をもって形成加工する。もしくは、凸型部２２ａにも支持板２５を設けて凹型部同士からなる二個の屈曲体として組み合わせても良い。但し、ここで言う外箱とは、内箱と外箱との二つの入れ物を組み合わせるキャラメル等の外側の箱を言うものであって、凸型部２２ａに支持板２５を設ける場合では、折り代２８を形成しない為、外箱とはならない。
【００４７】
尚、表側屈曲板２２ｃと中側屈曲板２２ｄの二枚の屈曲板からなる凸型部２２ａの挿入がスムーズに行える場合は、屈曲板の両角２６の切り欠き２９は設けなくとも良い。同様に、一枚の屈曲板からなる凸型部２２ａの挿入がスムーズに行えない場合は、屈曲板の両角２６の切り欠き２９を設けても良い。その他、屈曲板の屈曲形成時に余剰となる折り代２８の角は切り欠かずに折り曲げて接合することも可能である。
【００４８】
側面係合型クリップ凹型部２２ｂの展開図は図９ｄに示す図の他、外箱形成部を片側だけに展開させ、接合板２５ａと支持板２５とを接合したり、或いは、片側を折り代２８だけにし、折り代２８同士を接合するように左右非対称に展開させても良いが、接合の際に穴３１のズレが発生しないように注意を要する。
【００４９】
既述したように、クリップ本体は、板ばねからなり、係合手段を有する二個の屈曲体を組み合わせることによって成立する。側面係合型クリップ２２の場合は、屈曲板一枚からなる凸型部２２ａは勿論、表側屈曲板２２ｃと中側屈曲板２２ｄの二枚の屈曲板からなる凸型部２２ａもまた、外箱型を形成する凹型部２２ｂに挿入すると、両側の突起３０が内側に押されて、支持板２５に弾性変形が起こり、後方から押し入れようとする力によって凹型部２２ｂの奥へ入っていくが、凹型部２２ｂの折り代２８にある穴３１に突起３０が納まると、形状を復元させ、凹型部２２ｂに納まる。折り代２８の穴３１は支持板２５側もしくは接合板２５ａ側に寄せて形成し、凹型部２２ｂに挿入する時には、凸型部２２ａの突起３０を穴３１のない側に寄せながら押し入れ、挟む物の巾が合致した所で、突起３０を穴３１へ納めると良い。こうして凹型部２２ｂに対する凸型部２２ａの納まりが浅ければ厚い物を、深ければ薄い物を固定することができるようになる。突起３０が短ければ合体した時のクリップの剛性が懸念されるが、側面係合型クリップ２２の場合、突起３０はクリップの支持板２５脇の突端にある為、従来型のダブルクリップの軸受けのように板ばねの表面に突出することがなく、多少長めに形成しても、それが余分な厚みとなることはない。突起３０が細ければやはり合体した時のクリップの剛性が懸念されるが、突起３０を複数個形成し、複数箇所係合することも可能である。突起３０を納める為に穴３１を空けることによって剛性の低下が懸念される場合、穴３１を空けずに、折り代２８に仕切りや窪みを形成して当たることも可能である。
【００５０】
側面係合型クリップ２２を外すには、穴３１の両側面から棒を押し込む等、凸型部２２ａの支持板２５に弾性変形を起させ、突起３０を内部へ押し込んで穴３１から外して凹型部２２ｂから引っ張り出す。直角三角形の斜辺は他の二辺よりも長いから、凹型部２２ｂの外箱の厚みに若干の余裕があれば、斜めになった凸型部２２ａは引っ張ることによって外すことができ、二個体に分解できる。
【００５１】
しかし、箱の中に空隙が多いと係合に支障を来して内空をとれない場合には、先端部分は削ぎ鋏のように、係合する穴３１の数分だけ突起を有し、グリップの部分は握り鋏型に形成された専用の取り外し器等を用意しても良い。
【００５２】
図１０をもとに、以下に発明の実施の形態について記述する。板ばねからなり、係合手段を有する二個の屈曲体を組み合わせる穿孔板ばね型クリップ２３の一方を穿孔板ばね型クリップ凸型部２３ａ、もう一方を穿孔板ばね型クリップ凹型部２３ｂとして、先ず穿孔板ばね型クリップ凸型部２３ａから記述する。スチール、ステンレス等からなる金属板を初め樹脂板等の各種部材からなる板ばねを５０〜７０度程度の鋭角に屈曲させて、片辺を平板ばね２４に、片辺をエッジ２７側突端に上向きのフック２３ｇを複数個持つフック板２３ｃを設ける凸型部２３ａを、鋳造、鍛造、圧造、転造、金型形成、射出形成、研磨加工、切削加工、ベンダー形成等の各種手段をもって形成加工する。
【００５３】
次に、同種の板ばねを凸型部２３ａと対称的に屈曲させて、片辺を平板ばね２４に、片辺を支持板２５とするとともに、支持板２５の上部に平行して、凸型部２３ａのフック２３ｇを噛み込ませ得るように同数の穴３１を複数列に亘って空ける穿孔板２３ｄを設ける穿孔板ばね型クリップ凹型部２３ｂを鋳造、鍛造、圧造、転造、金型形成、射出形成、研磨加工、切削加工、ベンダー形成等の各種手段をもって形成加工する。もしくは、凸型部２３ａにも支持板２５を設けて凹型部同士からなる二個の屈曲体として組み合わせても良い。
【００５４】
凹型部２３ｂの形成方法については、以下にその代表的な形成方法の例を更に詳述する。板ばねの一枚を凸型部２３ａと対称的に屈曲させて、片辺を平板ばね２４に、片辺を支持板２５とする表側屈曲板２３ｅとし、別の一枚を表側屈曲板２３ｅと同角に屈曲させるとともに、片辺を平板ばね２４に、片辺を穴３１を空ける支持板２５、即ち穿孔板２３ｄとする中側屈曲板２３ｆとし、凸型部のフック板２３ｃを噛み込ませ得るように、表側屈曲板２３ｅの支持板２５と中側屈曲板２３ｆの穿孔板２３ｄの間を板厚分開口させて、表側屈曲板２３ｅと中側屈曲板２３ｆの平板ばね２４同士を接着、溶接等の融着、かしめ等の圧着等の手段をもって接合し、必要があれば一重の平板ばね２４部分に受け板を接合したり、或いは二重の平板ばね２４部分を圧延して厚みを揃えて凹型部２３ｂを形成する。
【００５５】
或いは、板ばねの一枚を凸型部３ａと対称的に屈曲させて、片辺を平板ばね２４に、片辺を穿孔板２３ｄとする上側屈曲板とし、別の一枚の片辺を穿孔板２３ｄに、片辺を支持板２５とする下側屈曲板とし、両者の穿孔板２３ｄ同士を接着、溶接等の融着、かしめ等の圧着等の手段をもって接合することも可能であるが、接合の際に穴３１のズレが発生しないように注意を要する。
【００５６】
もしくは、板ばねをＷ字様に屈曲させるとともに、Ｗ中央の山の内側を接合することによって凹型部２３ｂに形成する。平板ばね２４と支持板２５に挟まれた穿孔板の中央を山頂として折り返し、穴３１がズレないように重ね合わせて山の内側を接着、溶接等の融着、かしめ等の圧着等の手段をもって接合して穿孔板２３ｄを形成するとともに、支持板２５側に凸型部のフック板２３ｃを噛み込ませ得る為の開口部を形成しながら、穿孔板２３ｄとの境を屈曲させて凹型部２３ｂに形成する他、鋳造等、鍛造、圧造、転造、金型形成、射出形成、研磨加工、切削加工、ベンダー形成等の各種手段をもって凹型部２３ｂを形成加工する。凹型形成については、屈曲板の角２６部側には、板厚分程度の隙間を形成するが、表側屈曲板２３ｅの支持板２５と中側屈曲板２３ｆの穿孔板２３ｄの間口が閉じるように、表側屈曲板２３ｅの屈曲角度をやや狭めておくか、中側屈曲板２３ｆの屈曲角度をやや広げておくと、凹凸両者を噛み込ませた時に外れにくくなる。
【００５７】
既述したように、クリップ本体は、板ばねからなり、係合手段を有する二個の屈曲体を組み合わせることによって成立する。穿孔板ばね型クリップ２３の場合は、凸型部２３ａの支持板２５をフック板２３ｃに、凹型部２３ｂの中側屈曲板２３ｆの支持板２５を穿孔板２３ｄとするものとして記述したが、凸型部２３ａの支持板２５を穿孔板２３ｄに、凹型部２３ｂの中側屈曲板２３ｆの支持板２５をフック板２３ｃとしてもよい。但し、その場合、フック２３ｇは下を向く。
【００５８】
穿孔板ばね型クリップ２３を外すには、フック２３ｇの引っ掛けの長さ分一旦奥へ押し込み、フック２３ｇを穴３１から外してから引き抜くことによって取り外すことができ、二個体に分解できる。
【００５９】
図７ａ〜図７ｄをもとに、以下に発明の実施の形態について記述する。クリップの開口部となる板ばねの先端、または両脇を切り欠いて軸受け３２ｃを形成し、レバー３２先端部のフック部３２ａを引っ掛けて、クリップ本体と合体させる。軸受け３２ｃ用の切り欠きを同じ位置にすることで向かい合ったフック部３２ａ同士が喧嘩する場合は、適宜ずらせて形成すると良い。この時レバー３２の軸形は、少なくとも軸受け３２ｃへの嵌め込み部を平形に形成すると円形よりも納まりも良く、喧嘩も軽減される。それでもレバー３２の納まりが悪い場合には、レバー３２にＺ字型折り返し部３２ｂを形成し、クリップの角２６に当てがって納めることも可能である。レバー３２が安定して取り付けられる場合には、軸受け３２ｃ用の切り欠きやＺ字型折り返し部３２ｂは必ずしも設ける必要はない。
【００６０】
レバー３２の使用方法を以下に記述する。係合型クリップおいては、レバー３２を梃子にしてクリップを開口させると、支点となる屈曲部の角２６に力が入り、板ばねが開口すると同時に屈曲体同士が噛み込んでいき、物を挟むことができなくなる。そこで係合前の凹凸各々の屈曲体にレバー３２を付け、挟む物を間に設置してから、レバー３２をペンチにして噛み合わせるか、或いは、予め若干噛み合わせておいたクリップの開口部と挟む物の面とを対面させ、接触させながら少しずつゆっくりと開口させて、開口部の巾と挟む物の厚みが合致した所で滑り込ませていくことで固定するのが基本になるが、それでも係合前の噛み込みが止められない場合は、事前咬合するとともに、ヘアピンのようなＵ字型等のピンを挿入して凹凸両者を仮止めしておき、物を挟んでからピンを抜くと良い。ジグザグ板ばね型クリップ２１の場合は、ジグザグ板ばねの谷間を、側面係合型クリップ２２及び穿孔板ばね型クリップ２３の場合は、ピンを穴３１に差し込んで仮止めする。更に板ばねを挟む物の奥まで嵌め込んでからレバー３２を使用すると、支点となる屈曲部の角２６に力が入ることで、凸型部と凹型部が限度まで噛み込んでいく。クリップが納まった所でレバー３２を抜き取ると、開口部も完全に閉じて、クリップが固定される。こうして無駄な開口をさせないことによって、板ばねの挿入を適切に保てるのである。このようにレバー３２は、板ばねを開口する為であると同時に、屈曲体同士を噛み合わせる為のペンチとして使用することにもなる。後述するように、ベルト３３ａにレバー３２の機能を持たせる場合、また、板ばねの素材や厚みによって素手で挿入可能な場合は、レバー３２を付けずに係合型クリップを形成することも可能である。
【００６１】
図８ａ、図８ｂをもとに、以下に発明の実施の形態について記述する。クリップの内側にベルト３３ａを沿わせて耐震装置として使用する場合、クリップの内側に予めベルト通し様の支持部材固定具３３ｄをつくり付けておき、ベルト３３ａを挿通してからクリップを噛み込ませると、ベルト３３ａを両側へ開くことで、レバー３２を使わずに、クリップを内側から開口させることができ、ベルト３３ａを開くことで手前に引っ張ることになる為、ベルト３３ａの余剰部分がクリップ内に残されることもない。この支持部材固定具３３ｄは、図８ａに示すように、クリップ内部の平板ばね２４の下部、咬合部直上の縁から縁へ形成すればコの字型に広がって、ベルト３３ａがクリップを開口するが、その分が余分な厚みとなる為、クリップ側に予め形成する場合は極力厚みが出ないように形成することとし、それが適わない場合には、図８ｂに示すように、引張強度に優れ、かつ厚みのない布等によってベルト通し様の支持部材固定具３３ｄを予めベルト３３ａ側に挿通しておくか、或いは、クリップ装着後に取り外しができるように、面ファスナーを巻き止めてＶ字型に開口させても良い。コの字型では、凹凸両者の支持部材固定具３３ｄにベルト３３ａを挿通させておき、Ｖ字型では、支持部材固定具３３ｄに、クリップの凹型部の咬合部を挿通しておき、挟む物を間に設置してから噛み合わせるか、事前咬合させておいてから、生活器材を構成する板材３４ａを挟み止めることで固定が可能となる。場合によっては、凹型屈曲体二個を係合させるクリップとし、中側屈曲体の支持板２５背面部の中央に支持部材固定具３３ｄをつくり付けておけばＶ字型に広げることも可能である。面ファスナーにおいては、たとえ支持部材固定具３３ｄを装着したままでも、邪魔にならないので、付けたままにしておくこともでき、横揺れの地震に対する固定時の横滑りも解消され、また、ジグザグ板ばね型クリップ２１の場合は、取り外しの際に二個の屈曲体をスライドさせる為、取り外し可能な面ファスナーが使い易い。支持部材固定具３３ｄの部材については多種多様であり、ベルト３３ａ部分と同様、ナイロン、合成繊維等の繊維、樹脂、金属等特に限定しない。支持部材固定具３３ｄを取り外し自在にするには、面ファスナーを使用する他に、布地にスナップやクダ美環、小さな通しバックル等をつけて形成することも可能である。既述のＵ字型等のピンを使用して固定しても良い。但し、凹型部の支持板２５の両側に折り代２８や翼を設けて塞ぐ形状の物では、折り代２８や翼の形状、大きさによっては支持部材固定具３３ｄが使用できなくなる場合もある。
【００６２】
クリップ内面にベルト３３ａを沿わせているので家具を傷つけることもなく、傷防止の為に別途ゴムやエラストマー等の弾性部材やフエルト等の繊維を内面に貼って保護する必要もない。レバー３２を使って係止することは勿論、挟む物の厚みに合わせて支持板２５の巾を自在に調節できる為、場所を選ばずに、あらゆる物を固定でき、紙挟み等の文具としても利用可能である。
【００６３】
勉強机３４ｄやピアノ等前部開口部型の生活器材に対する支持部材３３の固定方法を図１１ａに示す。生活器材を壁面に寄せ、収納巾木１ａから取り出した支持部材３３を生活器材の前下部まで引き伸ばし、必要があればベルト送り等の伸縮調節器で適宜長さを調節するとともに、クリップ型の固定具で引張強度を調整しながら、家具の両側面を形成する板材３４ａの上方を挟み止める。勉強机３４ｄの背部に本棚が造り付けてある場合には、本棚の側面や、作業台に係合型クリップで固定することも可能である。
【００６４】
また、甲高の家具等、最下部の固定のみでは心許ない場合の支持部材３３の固定方法を図１１ｂに示す。ガラス戸等のない本棚３４ｅでは、両側面のみならず、天板面等にもクリップ型の固定具を挟み止めることができる。
【００６５】
また、整理箪笥３４ｆ等引き出し３４ｃを持つ家具に支持部材３３を固定する方法を図１１ｃに示す。係合型クリップは、板厚に対する対応能力が高く、装着時に余分な角を残さないだけでなく、レバーの軸を装着する筒状の軸受けがない為、整理箪笥３４ｆの両側面に係止した上で、引き出し３４ｃを入れることが可能となる。
【００６６】
尚、支持部材収納型の巾木１ａ、畳寄せ、笠木２ａ、長押３ｄ、付け鴨居等の構造補助部材の中を空洞にすることによって構造補助部材そのものの強度の低下が懸念される場合には、それら構造補助部材を取り付けるとともに内面に金属板等を貼ったり、金属等からなる管を渡して内面を支持するように補強することも可能である。
【００６７】
係止軸５、またはフックやナスカン、リング等の連結具８を造り付ける場合は、設置場所が固定されており、家具巾とずれる時には、家具巾よりも内側に位置する係止軸５に支持部材３３を係合し、家具と周囲に回した支持部材３３との間に隙間を造らないようにして設置することが望ましい。
【００６８】
また、支持部材３３による家具の固定においては、並列する家具を纏めて固定するとベルト３３ａの緩みを誘発しやすいので、耐震性を強化する為にも家具一棹に対して支持部材３３一式を使用して固定することが望ましい。
【００６９】
以下に構造補助部材による固定方法の応用例を述べる。ローボードの上にテレビを置く場合等には、ローボードの下部周囲を支持部材３３で固定したり、扉の蝶番３４ｂに支持部材３３を掛けて固定し、ローボードの背部から別途支持部材３３を引き出してテレビの下部の窪みに掛る等して固定する。
【００７０】
勉強机３４ｄのような前部開口型の生活器材の上にデスクトップ型のパソコンを置く場合等には、勉強机３４ｄの両側を係合型クリップで固定し、勉強机３４ｄの背部から別途支持部材３３を引き出して、パソコン下部の窪み掛けて固定する。勉強机３４ｄの背部に本棚が造り付けてある場合には、支持部材３３を短くし、本棚の側面や、作業台に係合型クリップで固定するとともに、パソコン下部の窪み掛けて固定する。
【００７１】
また、家具の配置は部屋の周囲ばかりでなく、ダイニング・テーブルや応接セットのように部屋の中央に設置する場合もある。その場合には部屋の構造から言って一般的にダイニング・テーブルが配置される位置、応接セットが配置される位置に、予めフローリング１４等の床仕上げ材裏に収納箱を造り付けてフックやナスカン、リング等連結具８を内蔵させておき、必要に応じて開口して取り出せるようにしておくとともに、予め家具の土台部や背部、側面、脚部等にフックやナスカン、リング等の連結具８を造り付けておき、これら連結具８で係止したり、或いは短めの支持部材３３で連結することで固定がスムーズに行われる。
【００７２】
支持部材３３によって部屋の中央に設置された家具を固定する場合、部屋の中央に伸ばされたベルト３３ａ等によって爪先を引っ掛け、平常時に人間が転倒するという危険が伴う為、なるべくベルト３３ａが床上に露出しないようにしなければならない。その為にも前述のように連結具８を床内に内蔵させることとし、表に出る支持部材３３はごく短くすることが望ましい。
【００７３】
また、家具を部屋の中央に設置する場合のみでなくても、予め家具の土台部や背部、側面、脚部等にフックやナスカン、リング等の連結具８を造り付けておくようにすれば、設置上の利便性は高まる。場合によっては家具の土台部に支持部材３３を回し込んで格納しておいても良い。
【００７４】
支持部材収納構造補助部材は、見かけはまるっきり従来の構造補助部材と同様なので、家内の装飾性が低下するということがないが、支持部材３３を家具の周囲に回した時の装飾性が低下しないように、ベルト３３ａやバックル３３ｂ等を床や家具の色に合わせたり、フックやナスカン、リング等の連結具８や、構造補助部材の蓋７ａ等に彫刻等の装飾を施すと良い。
【００７５】
【発明の効果】
それまで家具転倒防止具を別途購入し、取り付けるというように個人の裁量に委ねられていた家内の防震設備を、予め住宅に備え付けることによって、地震時の防災性を上げ、人命を重視した家を建築することができる。
【００７６】
予め構造補助部材に支持部材を収納しておくことによって、誰もが簡単に取り付けることができるようになり、家具の転倒防止がより一層強化される。
【００７７】
同様に、取り外しが自在になり、再利用性が高い。
【００７８】
支持部材を低位置の巾木に備え付けることによって、固定する家具の種類が広がるとともに、クリップ型の固定具を使用することによって、従来は支持部材の対象外だった独特な形状を持つ家具や引き出しを持つ家具等、殆どあらゆる家具を固定できるようになる。
【００７９】
支持部材の固定方法は多岐に渡り、釘やビス等を使用せずに家具を固定することが可能となり、構造補助部材や家具に傷をつけることがないので家具の配置換え、模様替え等による家具の移動に際しても、傷跡が見苦しくなったり、家財の価値を下落させることがない。
【００８０】
家屋や家具を全く傷つけることのない固定方法を提供することで、高価な家屋や家具に傷をつける従来の固定方法を嫌うあまり耐震補強を行わないで来た人々の意識をも変えることができるようになる。
【００８１】
構造補助部材の中に支持部材を収納させることで、構造補助部材を単なる意匠に留めず、建造物の耐震性を上げる道具の一つとして機能させてその存在価値そのものを向上させることができる。
【００８２】
支持部材収納型の構造補助部材は、外見上従来の構造補助部材と同じであり、その納め方も基本的には家屋の建築方法に準じている為、構造補助部材の上や壁の上に単純に取っ付ける工法に比較して、地震動によって簡単に剥がれたり、外れたりすることがなく極めて安全である。
【００８３】
構造補助部材の中に支持部材を格納する技術は難しいものではなく、製造に際しても莫大な設備投資を必要としない。
【００８４】
家屋の新築の際は勿論、リフォームの際に、構造補助部材を新しくするだけでも対応できるので、改築に伴う莫大な費用を必要としない。
【００８５】
従来固定不可能だったスチールパイプからなる家具やテーブルの脚等ダイレクトにフックやナスカン、リング等の連結具に固定させることも可能となる。
【００８６】
埋め込み式のフックやナスカン、リングの形状によっては収納巾木や収納笠木等にアクセントを与え構造補助部材の装飾性を上げることができる他、蓋に彫刻を施すことでも室内の装飾性を上げることができる。
【００８７】
竹細工や、和紙、畳縁の布地を使用することで、本来洋室の構造補助部材である巾木や笠木が畳敷きの和室にも新しい意匠となり得る。
【００８８】
使い方によっては絵や花瓶、人形、ハンガー等をかける道具ともなり得る。
【００８９】
構造補助部材に端を発して、フックやナスカン、リング等の連結具を家具にも造り付けるようになれば、その固定はより安定的に行われるようになる。
【図面の簡単な説明】
【図１】収納巾木内の支持部材によって固定した洋服箪笥を示す立体図である。
【図２】（ａ）引き戸型収納巾木及びバックル型支持部材を示す拡大図である。
（ｂ）蓋型収納巾木及びクリップ型支持部材を示す拡大図である。
【図３】（ａ）突起型係止軸による構造補助部材を示す立体図である。
（ｂ）ばね型係止軸による構造補助部材を示す立体図である。
（ｃ）波板用係止軸による構造補助部材を示す立体図である。
（ｄ）連結具による構造補助部材を示す立体図である。
【図４】（ａ）従来型の巾木を示す断面図である。
（ｂ）蓋型収納巾木を示す断面図である。
（ｃ）引き戸型収納巾木を示す断面図である。
【図５】（ａ）従来型の笠木を示す断面図である。
（ｂ）収納笠木を示す断面図である。
【図６】（ａ）従来型の長押を示す断面図である。
（ｂ）収納長押を示す断面図である。
【図７】（ａ）開口部にレバーを取り付けたジクザク板ばね型クリップを示す立体図である。
（ｂ）開口部のレバーを取り外したジクザク板ばね型クリップを示す立体図である。
（ｃ）サイドにレバーを取り付けたジクザク板ばね型クリップを示す立体図である。
（ｄ）サイドのレバーを取り外したジクザク板ばね型クリップを示す立体図である。
（ｅ）凸型部と凹型部を分離したジクザク板ばね型クリップを示す断面図である。
【図８】（ａ）クリップの両側面で固定した支持部材を使用して開口するジクザク板ばね型クリップを示す拡大図である。
（ｂ）クリップの中央で固定した支持部材を使用して開口するジクザク板ばね型クリップを示す拡大図である。
【図９】（ａ）屈曲体２枚の凸型部及び凹型部による側面係合型クリップを示す立体図である。
（ｂ）屈曲体１枚の凸型部及び凹型部による側面係合型クリップを示す立体図である。
（ｃ）側面係合型クリップの凸型部を示す分解図である。
（ｄ）側面係合型クリップの凹型部を示す展開図である。
【図１０】穿孔板ばね型クリップの凸型部及び凹部型を示す立体図である。
【図１１】（ａ）クリップ型支持部材を取り付けた勉強机を示す立体図である。
（ｂ）クリップ型支持部材を取り付けた本棚を示す立体図である。
（ｃ）クリップ型支持部材を取り付けた整理箪笥を示す立体図である。
【符号の説明】
１      出巾木
１ａ    収納巾木
２      笠木
２ａ    収納笠木
３      長押
３ａ    長押蓋
３ｂ    長押挽き
３ｄ    収納長押
４      付け鴨居
５      係止軸
５ａ    突起型係止軸
５ｂ    ばね型係止軸
５ｃ    波板用係止軸
６      レール溝
６ａ    レール溝前部間隙
６ｂ    レール溝後部間隙
６ｃ    波板レール溝
７ａ    蓋
７ｂ    引き戸
８      連結具
９      壁
９ａ    塗り壁
１０    柱
１１    横胴縁
１２    石膏ボード
１３    羽目板
１４    フローリング
１５    小穴决り
１６    実决り
１７    欠け
１８    捨て床張り
１９    転び止め桟
２０    楔
２１    ジグザグ板ばね型クリップ
２１ａ  ジグザグ板ばね型クリップ凸型部
２１ｂ  ジグザグ板ばね型クリップ凹型部
２１ｃ  凸型部ジグザグ板ばね
２１ｄ  凹型部ジグザグ板ばね
２１ｅ  歯
２１ｆ  歯頭
２１ｇ  鋭角の底角
２１ｈ  鈍角の底角
２１ｉ  ジグザグ板ばねの表側屈曲板
２１ｊ  ジグザグ板ばねの中側屈曲板
２２    側面係合型クリップ
２２ａ  側面係合型クリップ凸型部
２２ｂ  側面係合型クリップ凹型部
２２ｃ  側面係合型クリップの表側屈曲板
２２ｄ  側面係合型クリップの中側屈曲板
２３    穿孔板ばね型クリップ
２３ａ  穿孔板ばね型クリップ凸型部
２３ｂ  穿孔板ばね型クリップ凹型部
２３ｃ  フック板
２３ｄ  穿孔板
２３ｅ  穿孔板ばね型クリップの表側屈曲板
２３ｆ  穿孔板ばね型クリップの中側屈曲板
２３ｇ  フック
２４    平板ばね
２５    支持板
２５ａ  接合板
２６    角
２７    エッジ
２８    折り代
２９    切り欠き
３０    突起
３１    穴
３２    レバー
３２ａ  フック部
３２ｂ  Ｚ字型折り返し部
３２ｃ  軸受け
３３    支持部材
３３ａ  ベルト
３３ｂ  バックル
３３ｃ  挿通孔
３３ｄ  支持部材固定具
３４    家具
３４ａ  板材
３４ｂ  蝶番
３４ｃ  引き出し
３４ｄ  勉強机
３４ｅ  本棚
３４ｆ  整理箪笥
【図１】
2004166753.tif 000003
【図２】
2004166753.tif 000004
【図３】
2004166753.tif 000005
【図４】
2004166753.tif 000006
【図５】
2004166753.tif 000007
【図６】
2004166753.tif 000008
【図７】
2004166753.tif 000009
【図８】
2004166753.tif 000010
【図９】
2004166753.tif 000011
【図１０】
2004166753.tif 000012
【図１１】
2004166753.tif 000013